(57)【要約】【課題】木製フレームの経年収縮による木製フレームと金属フレームとの接合の緩みによって接合部の剛性が低下することを効果的に抑止すると同時に接合部の強度を十分に確保する。【解決手段】少なくとも長手方向の中間部がタッピンネジ部となっているタッピン長ネジ４を、その両端部が木製フレーム１の両側面から突出するネジ込み貫通状態にして木製フレーム１に取り付け、木製フレーム１の両側面１Ａ，１Ｂから突出するタッピン長ネジ４の突出端部４Ａ、４Ｂを金属フレーム２に接合される第１フランジ３Ａ及び第２フランジ３Ｂのネジ挿通孔９に夫々挿通して第１及び第２フランジ３Ａ、３Ｂを木製フレーム１の各側面１Ａ、１Ｂに夫々当て付けた状態にして、連結具５、６により第１及び第２フランジ３Ａ、３Ｂをタッピン長ネジ４の各突出端部４Ａ、４Ｂに連結する。【選択図】  図２ａ
2015010389.tif 000002
【特許請求の範囲】
【請求項１】
木製フレームと金属フレームとを接合するフレーム接合構造であって、
少なくとも長手方向の中間部がタッピンネジ部となっているタッピン長ネジを、前記木製フレームに対するネジ込みにより、その両端部が前記木製フレームの両側面から突出するネジ込み貫通状態にして前記木製フレームに取り付け、
前記木製フレームの一側面から突出する前記タッピン長ネジの一端側の突出端部を前記金属フレームに接合される第１フランジのネジ挿通孔に挿通して前記第１フランジを前記木製フレームの一側面に当て付け、かつ、前記木製フレームの他側面から突出する前記タッピン長ネジの他端側の突出端部を第２フランジのネジ挿通孔に挿通して前記第２フランジを前記木製フレームの他側面に当て付けた状態にして、前記タッピン長ネジの各突出端部に装着した連結具により前記第１及び第２フランジを前記タッピン長ネジの各突出端部に連結することで、前記木製フレームに対して噛み込み状態にある前記タッピンネジ部を介して前記金属フレームを前記木製フレームに接合してあるフレーム接合構造。
【請求項２】
前記タッピン長ネジの各突出端部に対する一端側及び他端側夫々の前記連結具が前記タッピン長ネジの各突出端部と螺合可能な受けナットと押さえナットとからなり、
前記第１フランジと前記第２フランジとの各々を前記受けナットと前記押さえナットとにより狭着固定することにより、前記第１及び第２フランジの夫々を前記タッピン長ネジの各突出端部に連結してある請求項１記載のフレーム接合構造。
【請求項３】
前記木製フレームが柱であり、前記金属フレームが梁である請求項１又は２記載のフレーム接合構造。
【請求項４】
木製フレームと金属フレームとを接合するフレーム接合工法であって、
少なくとも長手方向の中間部がタッピンネジ部となっているタッピン長ネジを前記木製フレームにネジ込むことで、前記タッピン長ネジをその両端部が前記木製フレームの両側面から突出するネジ込み貫通状態にして前記木製フレームに取り付け、
この長ネジ取り付け状態において、前記木製フレームの一側面から突出する前記タッピン長ネジの一端側の突出端部を前記金属フレームに接合される第１フランジのネジ挿通孔に挿通した状態で、前記第１フランジを前記木製フレームの一側面に当て付け、
この第１フランジ当て付け状態において、前記タッピン長ネジの一端側の突出端部に装着した一端側の連結具により、前記第１フランジを前記タッピン長ネジの一端側の突出端部に連結し、
同様に前記長ネジ取り付け状態において、前記木製フレームの他側面から突出する前記タッピン長ネジの他端側の突出端部を第２フランジのネジ挿通孔に挿通した状態で、前記第２フランジを前記木製フレームの他側面に当て付け、
この第２フランジ当て付け状態において、前記タッピン長ネジの他端側の突出端部に装着した他端側の連結具により、前記第２フランジを前記タッピン長ネジの他端側の突出端部に連結し、
これら第１及び第２フランジの前記タッピン長ネジに対する連結により、前記木製フレームに対して噛み込み状態にある前記タッピンネジ部を介して前記金属フレームを前記木製フレームに接合するフレーム接合工法。
【請求項５】
前記タッピン長ネジの各突出端部に対する一端側及び他端側夫々の前記連結具が前記タッピン長ネジの各突出端部と螺合可能な受けナットと押さえナットとからなり、
前記第１フランジ当て付け状態において、一端側の前記受けナットと一端側の前記押さえナットとにより前記第１フランジを狭着固定することにより前記第１フランジを前記タッピン長ネジの一端側の突出端部に連結し、
前記第２フランジ当て付け状態において、他端側の前記受けナットと他端側の前記押さえナットとにより前記第２フランジを狭着固定することにより前記第２フランジを前記タッピン長ネジの他端側の突出端部に連結する請求項４記載のフレーム接合工法。
【発明の詳細な説明】
【技術分野】
【０００１】
本発明は、木製フレームと金属フレームとを接合するフレーム接合構造、及び、フレーム接合工法に関する。
【背景技術】
【０００２】
従来、この種の技術に関しては、次の（１）、（２）のようなものが知られている。
【０００３】
（１）図５ａに示すように、金属フレーム２に接合されるフランジ３に形成されたネジ挿通孔９を通じ木ネジ２０を木製フレーム１にネジ込むことによりフランジ３を木製フレーム１の一側面に圧接固定することで、木製フレーム１と金属フレーム２とを接合するもの。
【０００４】
（２）図６ａに示すように、木製フレーム１に貫通形成されたボルト挿通孔１１に長ボルト３０を挿通し、この長ボルト３０の各突出端部に対し、金属フレーム２に接合される第１フランジ３Ａ及び第２フランジ３Ｂの各々を受けナット５と押さえナット６とにより連結することで、それら第１及び第２フランジ３Ａ、３Ｂにより木製フレーム１を挟み込んだ状態で、木製フレーム１と金属フレーム２とを接合するもの。
【発明の概要】
【発明が解決しようとする課題】
【０００５】
ところで、前記（１）の技術では、図５ｂに示すように、木製フレーム１の経年収縮によりフランジ３と木製フレーム１との間に隙間Ｓが生じることで木製フレーム１と金属フレーム２との接合に多少の緩みが生じるにしても、木ネジ２０が木製フレーム１から引き抜かれるまでは木製フレーム１と金属フレーム２との接合は維持される。
【０００６】
しかし、木ネジの引き抜き荷重はそれほど大きくなく、このため、例えば地震などにおいて木製フレーム自身が荷重に耐えられず破断に至る前の段階で、図５ｃに示すように、木ネジ２０が木製フレーム１から引き抜かれてしまい、そのことで木製フレーム１と金属フレーム２との接合が断たれて建築物の倒壊等に至る可能性が高い問題があった。
【０００７】
一方、前記（２）の技術では、長ボルト３０を介した第１及び第２フランジ３Ａ，３Ｂによる木製フレーム１の挟み込みにより両フレーム１，２を接合するから、地震などにおいて木製フレーム自身が破断に至る前の段階で両フレーム１，２の接合が断たれるといったことは効果的に回避することができる。
【０００８】
しかし、前記（２）の技術は、図６ｂに示すように、木製フレーム１の経年収縮による隙間Ｓが第１フランジ３Ａと木製フレーム１との間、及び、第２フランジ３Ｂと木製フレーム１との間の夫々において生じるため、木製フレーム１のボルト挿通孔１１に対する長ボルト３０の自由移動により、これら２箇所の隙間Ｓを合わせた分の大きな緩みが両フレーム１，２の接合に生じ、この大きな緩みのために建築物の全体強度が大きく損なわれるなどの問題があった。
【０００９】
そして、以上のような両フレーム１，２の接合における剛性や強度の問題は、低層大スパン構造の建築物に木製フレーム１と金属フレーム２との接合構造を使用する際に特に重要となる。
【００１０】
このような実情に鑑み、本発明の主たる課題は、木製フレームの経年収縮による木製フレームと金属フレームとの接合の緩みによって接合部の剛性が低下することを効果的に抑止すると同時に木製フレームと金属フレームとの接合部の強度を十分に確保する点にある。
【課題を解決するための手段】
【００１１】
本発明の第１特徴構成は、フレーム接合構造に係り、その特徴は、
木製フレームと金属フレームとを接合するフレーム接合構造であって、
少なくとも長手方向の中間部がタッピンネジ部となっているタッピン長ネジを、前記木製フレームに対するネジ込みにより、その両端部が前記木製フレームの両側面から突出するネジ込み貫通状態にして前記木製フレームに取り付け、
前記木製フレームの一側面から突出する前記タッピン長ネジの一端側の突出端部を前記金属フレームに接合される第１フランジのネジ挿通孔に挿通して前記第１フランジを前記木製フレームの一側面に当て付け、かつ、前記木製フレームの他側面から突出する前記タッピン長ネジの他端側の突出端部を第２フランジのネジ挿通孔に挿通して前記第２フランジを前記木製フレームの他側面に当て付けた状態にして、前記タッピン長ネジの各突出端部に装着した連結具により前記第１及び第２フランジを前記タッピン長ネジの各突出端部に連結することで、前記木製フレームに対して噛み込み状態にある前記タッピンネジ部を介して前記金属フレームを前記木製フレームに接合してある点にある。
【００１２】
つまり、この構成によれば、木製フレームの経年収縮による隙間が第１フランジと木製フレームとの間、及び、第２フランジと木製フレームとの間の２箇所の夫々において生じるにしても、タッピン長ネジのタッピンネジ部が木製フレームと噛み込み状態にあって、木製フレームに対するタッピン長ネジの自由移動が阻止されるから、上記２箇所の隙間を合わせた分の大きな緩みが木製フレームと金属フレームとの接合に生じることを防止することができる。
【００１３】
また、前記（２）の技術と同様に、タッピン長ネジを介した第１及び第２フランジによる木製フレームの挟み込みにより両フレームを接合する形態を併せて採るから、地震などにおいて木製フレームとタッピンネジ部との噛み込み状態が破壊されたとしても木製フレーム自身が破断に至る前の段階で両フレームの接合が断たれるといったことは効果的に回避することができる。
【００１４】
さらに、本構成では、木製フレームとタッピンネジ部との噛み込み状態の破壊やその後のタッピンネジ部と木製フレームとの間での摩擦により、木製フレームに係る荷重が吸収される状態となり、このことで、地震などによる木製フレームの破断を防止することにも寄与することができる。
【００１５】
さらに言えば、タッピン長ネジのタッピンネジ部と木製フレームとの噛み込みは、木製フレームの収縮に伴う締め付けにより一層強固になるから、上記木製フレームの破断防止に対する寄与は一層効果的なものとなる。
【００１６】
このように、本構成によれば、木製フレームの経年収縮による木製フレームと金属フレームとの接合の緩みを効果的に抑えるとともに、木製フレームの破断より先に両フレームの接合が断たれることを効果的に回避するから、接合部の剛性が低下することを効果的に抑止すると同時に木製フレームと金属フレームとの接合部の強度を十分に確保することができ、さらには、木製フレームの破断防止にも寄与することができる。
【００１７】
なお、本構成の実施において、連結具は、必ずしも、タッピン長ネジに取り付け可能な別部材に限られるものではなく、例えば、一端側の連結具と他端側の連結具とのいずれか一方側の連結具は、タッピン長ネジのネジ頭から構成されていてもよい。
【００１８】
本発明の第２特徴構成は、第１特徴構成の実施に好適な構成であり、その特徴は、
前記タッピン長ネジの各突出端部に対する一端側及び他端側夫々の前記連結具が前記タッピン長ネジの各突出端部と螺合可能な受けナットと押さえナットとからなり、
前記第１フランジと前記第２フランジとの各々を前記受けナットと前記押さえナットとにより狭着固定することにより、前記第１及び第２フランジの夫々を前記タッピン長ネジの各突出端部に連結してある点にある。
【００１９】
つまり、この構成によれば、木製フレームの経年収縮による隙間が第１フランジと木製フレームとの間、及び、第２フランジと木製フレームとの間の夫々において生じるにしても、タッピン長ネジのタッピンネジ部が木製フレームと噛み込み状態にあるとともに、受けナットと押さえナットとにより第１及び第２フランジの夫々がタッピン長ネジに対して狭着固定されているから、第１フランジ及び第２フランジの夫々と木製フレームとの相対移動が規制され、これにより、木製フレームの経年収縮による木製フレームと金属フレームとの接合の緩みを一層効果的に防止することができる。
【００２０】
また、受けナットと押さえナットとを螺合操作によりタッピン長ネジに対して位置調整することによって木製フレームの厚み寸法に応じた適切な接合状態を現出することもできる。
【００２１】
本発明の第３特徴構成は、第１又は第２特徴構成の実施に好適な構成であり、その特徴は、
前記木製フレームが柱であり、前記金属フレームが梁である点にある。
【００２２】
つまり、上記構成によれば、柱が木材で梁が鉄骨である混合構造において、上記第１又は第２特徴構成の実施により得られる作用効果を得ることができ、特に、本構成は、低層大スパン構造に木柱と鉄骨梁とによる接合構造を用いる場合に有効に使用できる。
【００２３】
本発明の第４特徴構成は、フレーム接合工法に係り、その特徴は、
木製フレームと金属フレームとを接合するフレーム接合工法であって、
少なくとも長手方向の中間部がタッピンネジ部となっているタッピン長ネジを前記木製フレームにネジ込むことで、前記タッピン長ネジをその両端部が前記木製フレームの両側面から突出するネジ込み貫通状態にして前記木製フレームに取り付け、
この長ネジ取り付け状態において、前記木製フレームの一側面から突出する前記タッピン長ネジの一端側の突出端部を前記金属フレームに接合される第１フランジのネジ挿通孔に挿通した状態で、前記第１フランジを前記木製フレームの一側面に当て付け、
この第１フランジ当て付け状態において、前記タッピン長ネジの一端側の突出端部に装着した一端側の連結具により、前記第１フランジを前記タッピン長ネジの一端側の突出端部に連結し、
同様に前記長ネジ取り付け状態において、前記木製フレームの他側面から突出する前記タッピン長ネジの他端側の突出端部を第２フランジのネジ挿通孔に挿通した状態で、前記第２フランジを前記木製フレームの他側面に当て付け、
この第２フランジ当て付け状態において、前記タッピン長ネジの他端側の突出端部に装着した他端側の連結具により、前記第２フランジを前記タッピン長ネジの他端側の突出端部に連結し、
これら第１及び第２フランジの前記タッピン長ネジに対する連結により、前記木製フレームに対して噛み込み状態にある前記タッピンネジ部を介して前記金属フレームを前記木製フレームに接合する点にある。
【００２４】
つまり、この構成によれば、前述の第１特徴構成のフレーム接合構造を容易に得ることができる。そして特に、本構成では、あらかじめタッピン長ネジのネジ込み操作（換言すれば、木製フレームに対するタッピン長ネジの固定操作）を行った後に第１及び第２フランジのタッピン長ネジへの連結作業を行うから、第１又は第２フランジの木製フレーム側面への当て付け状態のままタッピン長ネジの木製フレームへのネジ込み操作を行うのに比べ、タッピン長ネジのネジ込み操作時における第１又は第２フランジの位置保持を不要にし得る点で施工が容易になる。
【００２５】
本発明の第５特徴構成は、第４特徴構成の実施に好適な構成であり、その特徴は、
前記タッピン長ネジの各突出端部に対する一端側及び他端側夫々の前記連結具が前記タッピン長ネジの各突出端部と螺合可能な受けナットと押さえナットとからなり、
前記第１フランジ当て付け状態において、一端側の前記受けナットと一端側の前記押さえナットとにより前記第１フランジを狭着固定することにより前記第１フランジを前記タッピン長ネジの一端側の突出端部に連結し、
前記第２フランジ当て付け状態において、他端側の前記受けナットと他端側の前記押さえナットとにより前記第２フランジを狭着固定することにより前記第２フランジを前記タッピン長ネジの他端側の突出端部に連結する点にある。
【００２６】
つまり、この構成によれば、前述の第２特徴構成のフレーム接合構造を容易に得ることができる。そして特に、本構成では、例えば、あらかじめタッピン長ネジのネジ込み操作（換言すれば、木製フレームに対するタッピン長ネジの固定操作）を行った後に、受けナットのタッピン長ネジに対する取り付けや第１及び第２フランジのタッピン長ネジに対する連結を行うことができるから、受けナットや第１又は第２フランジを木製フレームの側面に当て付けた状態でタッピン長ネジの木製フレームへのネジ込み操作を行うのに比べ、施工を容易にすることができる。
【図面の簡単な説明】
【００２７】
【図１】木―鋼混合構造の低層大スパン建築物の概略斜視図
【図２ａ】図１の（Ａ）の柱梁接合構造を示す説明断面図
【図２ｂ】木柱が経年収縮を起こした場合の図２ａの説明断面図
【図２ｃ】接合構造に大きな荷重がかかった場合の図２ｂの説明断面図
【図３】実施形態におけるタッピン長ネジのタッピンネジ部の拡大図
【図４】図１の（Ｂ）の柱梁接合構造を示す説明断面図
【図５ａ】木―鋼混合構造の接合構造の従来例を示す説明断面図
【図５ｂ】木柱が経年収縮を起こした場合の図５ａの説明断面図
【図５ｃ】接合構造に大きな荷重がかかった場合の図５ｂの説明断面図
【図６ａ】木―鋼混合構造の接合構造の従来例を示す説明断面図
【図６ｂ】木柱が経年収縮を起こした場合の図５ａの説明断面図
【発明を実施するための形態】
【００２８】
図１は、本発明のフレーム接合構造を用いた木―鋼混合構造の低層大スパン建築物の概略柱梁構造を示し、建築物の外周側に木柱１（木製フレームの一例）が並設され、木柱１にわたらせて鉄骨梁２（金属フレームの一例）が設置されている。
【００２９】
図２ａは、図１の当該建築物における（Ａ）の柱梁接合構造を示し、木柱１、平板状の第１フランジ３Ａを備えた鉄骨梁２、平板状の第２フランジ３Ｂ、タッピン長ネジ４、並びに、タッピン長ネジ４に螺着する受けナット５及び押さえナット６（連結具の一例）から構成されている。
【００３０】
この接合構造では、木柱１の一側面１Ａに当て付けた第１フランジ３Ａと木柱１の他側面１Ｂに当て付けた第２フランジ３Ｂとが、木柱１に対するネジ込み操作がなされたタッピン長ネジ４を介して木柱１に接合されることにより、鉄骨梁２が木柱１の一側面１Ａに接合されている。
【００３１】
また、各構成の具体的形態であるが、木柱１の両側面１Ａ、１Ｂには、第１及び第２フランジ３Ａ、３Ｂを収納する凹部７が設けられており、さらに、凹部７には、受けナット５を収納する座掘８が設けられており、その座掘８は、そこに収納された受けナット５の表面と凹部７の底面が面一になる深さに形成されている。
【００３２】
そして、本接合構造におけるタッピン長ネジ４は、図３に示すように、ネジ頭がなく、平坦なネジ先端面を備え、全長にわたってタッピンネジ部１０を備え、そのタッピンネジ部１０に受けナット５及び押さえナット６を螺着するようになっている。
【００３３】
タッピン長ネジ４のタッピンネジ部１０の形状は、図３に示すようなものであり、ネジ山１０ａの山の頂１０ｂが平坦面状で幅を持つように形成されており、また、ネジ溝１０ｃはＵ字谷状に形成されている（換言すれば、ネジ山１０ａの厚さが谷底１０ｄに近づくにつれて厚くなるように形成されている）。
【００３４】
このように、タッピンネジ部１０の山の頂１０ｂに幅を持たせるとともに、ネジ構１０ｃをＵ字谷状にすることにより、タッピンネジ部１０が木材と噛み込み状態にあるときや、ナットがタッピンネジ部に螺着している状態にあるときにおいて、タッピン長ネジ４の引き抜きに要する荷重を効果的に増大させるようにしている。
【００３５】
また、タッピン長ネジ４は、タッピンネジ部１０のピッチが大きくなっており（即ち、ネジ構１０ｃが広い）、このため、タッピン長ネジ４を木材にネジ込み操作したときには、より多くの木の繊維をネジ構１０ｃに取り込むことができ、これにより、木材とタッピンネジ部１０との噛み込みによる連結強度をさらに高くしてある。
【００３６】
また、本接合構造は、例えば、次の（ａ）〜（ｆ）の手順で組み立てられる。
【００３７】
（ａ）木柱１の一側面１Ａの座掘８に予め空けた下穴を通じてタッピン長ネジ４を木柱１に対しネジ込み操作し、タッピン長ネジ４の両端部が木柱１の両側面１Ａ、１Ｂの座掘８から突出する貫通状態にしてタッピン長ネジを木柱１に取り付ける。
【００３８】
（ｂ）木柱１の両側面１Ａ、１Ｂに設けられた座掘８に、タッピンネジ部１０と螺着した受けナット５を収納する。
【００３９】
（ｃ）木柱１の一側面１Ａにおいて、一側面側のタッピン長ネジ４の突出端部４Ａを第１フランジ３Ａのネジ挿通孔９に挿通して、第１フランジ３Ａが一側面側の凹部７に収納されるように第１フランジ３Ａを木柱１に当て付ける。
【００４０】
（ｄ）第１フランジ３Ａを木柱１に当て付けた状態で押さえナット６をタッピン長ネジ４の一端側の突出端部４Ａにネジ込み操作して、第１フランジ３Ａを木柱１に固定するとともに、第１フランジ３Ａを受けナット５と押さえナット６とによって挟着固定する。
【００４１】
（ｅ）同様に、木柱１の他側面１Ｂにおいて、他側面側のタッピン長ネジ４の突出端部４Ｂを第２フランジ３Ｂのネジ挿通孔９に挿通して、第２フランジ３Ｂが他側面側の凹部７に収納されるように第２フランジ３Ｂを木柱１に当て付ける。
【００４２】
（ｆ）第２フランジ３Ｂを木柱１に当て付けた状態で押さえナット６をタッピン長ネジ４の一端側の突出端部４Ｂにネジ込み操作して、第２フランジ３Ｂを木柱１に固定するとともに、第２フランジ３Ｂを受けナット５と押さえナット６とによって挟着固定する。
【００４３】
このように、本接合構造では、タッピン長ネジ４の各突出端部４Ａ，４Ｂに対する押さえナットのネジ込み操作により、第１及び第２フランジ３Ａ、３Ｂの夫々が受けナット５及び押さえナット６との挟み込みによってタッピン長ネジ４の各突出端部４Ａ，４Ｂに対し固定する。
【００４４】
また、木柱１へネジ込み操作したタッピン長ネジ４のタッピンネジ部１０は木柱１と噛み込み状態にあるため、タッピン長ネジ４は木柱１に対して固定された状態にある。
【００４５】
つまり、本接合構造では、タッピン長ネジ４のタッピンネジ部１０が木柱１に対し固定されているとともに、第１及び第２フランジ３Ａ、３Ｂの夫々がタッピン長ネジ４に対し固定されているから、第１及び第２フランジ３Ａ、３Ｂの夫々と木柱１との相対移動が規制された状態で木柱１と鉄骨梁２とが接合している。
【００４６】
したがって、図２ｂに示すように、木柱１の経年収縮による隙間が第１フランジ３Ａと木柱１との間、及び、第２フランジ３Ｂと木柱１との間の夫々において生じたとしても、木柱１に対する第１及び第２フランジ３Ａ、３Ｂの相対移動が規制されているから、木柱１の経年収縮による木柱１と鉄骨梁２との接合の緩みを効果的に防止することができる。
【００４７】
また、タッピン長ネジ４を介した第１及び第２フランジ３Ａ、３Ｂによる木柱１の挟み込みにより木柱１と鉄骨梁２を接合する形態を併せて採るから、図２ｃに示すように、地震などにおいて木柱１とタッピンネジ部１０との噛み込み状態が破壊されたとしても、木柱自身が破断に至る前の段階で木柱１と鉄骨梁２との接合が断たれるといったことは効果的に回避することができる。
【００４８】
〔別実施形態〕
前述の実施形態においては、１つの木柱に対して１つの鉄骨梁が接合されている柱梁接合構造を示したが、図４に示す図１の建築物における（Ｂ）の柱梁接合構造のように、鉄骨梁２と接合した第２フランジ３Ｂを用いて、木柱１の両側面に鉄骨梁２が接合されているようにしてもよい。
【００４９】
前述の実施形態では、前述の（ａ）〜（ｆ）の手順によって接合構造を組み立てる例を示したが、これに限定されず、例えば、木柱１へのタッピン長ネジ４の取り付け前に座掘８又はタッピン長ネジ４に受けナット５を備えてもよく、第１フランジ３Ａにタッピン長ネジ４を通した状態で木柱１へのタッピン長ネジ４の取り付け操作を行ってもよい。
【００５０】
タッピン長ネジ４は、全長がタッピンネジ部４のものに限らず、少なくとも長手方向の中間部がタッピンネジ部１０となっていればよく、タッピン長ネジ４の両端部がボルトネジ部となっていてもよい。
【００５１】
なお、タッピン長ネジ４の両端部がボルトネジ部となっている場合は、受けナット５及び押さえナット６はボルトネジ部と螺合可能なものとする。
【００５２】
タッピン長ネジ４は、そのネジ先が平坦なものに限らず、ネジ先が尖っているものであってもよい。
【００５３】
タッピン長ネジ４は、ネジ頭がないものに限らず、ネジ頭があるものであってもよい。
【００５４】
タッピン長ネジ４のタッピンネジ部１０の具体的形状は、図３に示すようなものに限らず、少なくとも木材へのネジ込みによって木材と噛み込み状態となるものであればよい。
【００５５】
前述の実施形態において、木材フレームとして木柱を、金属フレームとして鉄骨梁を選択したが、これに限定されず、木材フレームと金属フレームとの使用形態は適宜選択してよい。
【００５６】
前述の実施形態では、木柱を木製フレームとし、鉄骨梁を金属フレームとする場合を示したが、これに限定されず、木梁を木製フレームとし、鉄骨柱を金属フレームとする場合など、本発明は各種木製フレームと各種金属フレームとの接合に適用することができる。
【００５７】
前述の実施形態において、連結具の一例として受けナット５及び押さえナット６を示したが、第１及び第２フランジ３Ａ，３Ｂをタッピン長ネジ４に連結できるものであればこれに限定されない。
【産業上の利用可能性】
【００５８】
本発明のフレーム接合構造、及び、フレーム接合は、各種分野において種々の用途に用いるフレーム接合構造に利用できる
【符号の説明】
【００５９】
１            木柱（木製フレーム）
２            鉄骨梁（金属フレーム）
１０          タッピンネジ部
４            タッピン長ネジ
１Ａ          一側面
４Ａ，４Ｂ    突出端部
３Ａ          第１フランジ
９            ネジ挿通孔
１Ｂ          他側面
３Ｂ          第２フランジ
５            受けナット
６            押さえナット
【図１】
2015010389.tif 000003
【図２ａ】
2015010389.tif 000004
【図２ｂ】
2015010389.tif 000005
【図２ｃ】
2015010389.tif 000006
【図３】
2015010389.tif 000007
【図４】
2015010389.tif 000008
【図５ａ】
2015010389.tif 000009
【図５ｂ】
2015010389.tif 000010
【図５ｃ】
2015010389.tif 000011
【図６ａ】
2015010389.tif 000012
【図６ｂ】
2015010389.tif 000013